(57)【要約】【課題】省エネ性の改善・寿命の長期化に対応でき、防虫効果があり、除塵効率が向上するエアシャワー装置を提供する【解決手段】エアシャワー装置１に備わる天井ケース２、本体ケース３及び補助ケース４に省エネ性が高く、点灯・消灯の繰り返しによる劣化の少ないＬＥＤ照明６ａ，６ｂ，６ｃが配設されている。本体ケース３に設けられているＬＥＤ照明６ｂは、操作盤内に組み込むことができる。本体ケース３又は補助ケース４側に生まれた上部スペースには、エアシャワー室内空間１１にドアを通じて入室した人８の頭部又は肩部へのエア吹き付けを可能とするエア吹き付け用のノズルを配設することができ、除塵効率を向上させることができる。ＬＥＤ照明は、その照射方向をエアシャワー室内空間１１の中心方向に沿わせることで、眩しさを軽減し、外部への漏れが少なくエアシャワー室内空間を照らすことができる。【選択図】図２
2011145052.tif 000002
【特許請求の範囲】
【請求項１】
エアシャワー室の入退室時にエアを吹き付けて塵埃の流入・持込を防止するエアシャワー装置において、ＬＥＤ照明を用いてエアシャワー室内空間を照明することを特徴とするエアシャワー装置。
【請求項２】
請求項１記載のエアシャワー装置において、
前記エアシャワー室内空間は、対向配置した本体ケースと補助ケース、天井ケース、及びドアによって囲まれており、前記ドアを通して前記エアシャワー室に入退室可能であり、
前記ＬＥＤ照明は、前記天井ケース、前記本体ケース又は前記補助ケースに配設されていることを特徴とするエアシャワー装置。
【請求項３】
請求項２記載のエアシャワー装置において、
前記ＬＥＤ照明は、前記本体ケースに設けられている操作盤内に組み込まれており、
前記補助ケース側に生まれた上部スペースに、前記エアシャワー室内空間に入室した人の頭部又は肩部へのエア吹き付けを可能とするエア吹き付け用のノズルを配設したことを特徴とするエアシャワー装置。
【請求項４】
請求項２記載のエアシャワー装置において、
前記ＬＥＤ照明は、その照射方向を前記エアシャワー室内空間の中心方向に沿う方向で前記本体ケース又は前記補助ケースに取り付けられていることを特徴とするエアシャワー装置。
【請求項５】
請求項２記載のエアシャワー装置において、
前記ＬＥＤ照明を搭載した取付板を設け、この取付板に前記ＬＥＤ照明を収納する窪んだ照明室を備え、この照明室によって前記ＬＥＤ照明の照射方向を規制して前記ＬＥＤ照明光の広がりを制限する構造としたことを特徴とするエアシャワー装置。
【請求項６】
請求項３記載のエアシャワー装置において、
前記本体ケースと前記補助ケースにそれぞれ複数個のエア吹き付け用のノズルを多段に配列するとともに、前記本体ケースと前記補助ケースに取り付けた前記ノズルが互い段違いとなるように非対称に取り付けられたことを特徴とするエアシャワー装置。
【請求項７】
請求項６記載のエアシャワー装置において、
前記本体ケースと前記補助ケースに配列された前記ノズルは、それぞれ千鳥状に配列されていることを特徴とするエアシャワー装置。
【請求項８】
請求項２記載のエアシャワー装置において、
前記エアシャワー室内空間に人が入ることに応じて前記ＬＥＤ照明が点灯し、人が出て行くことに応じて所定時間の経過後に消灯する自動消灯機能を搭載したことを特徴とするエアシャワー装置。
【請求項９】
請求項２記載のエアシャワー装置において、
火災・地震・異常などの緊急時の情報や前記エアシャワー室内空間のクリーンレベルに応じて、前記ＬＥＤ照明を点滅表示制御させることを特徴とするエアシャワー装置。
【請求項１０】
請求項２記載のエアシャワー装置において、
前記ＬＥＤ照明の照明光を虫が忌避する照明色とする防虫モードを備えたことを特徴とするエアシャワー装置。
【請求項１１】
請求項１０記載のエアシャワー装置において、
前記ＬＥＤ照明は、前記エアシャワー室内空間への入退室時に通常動作モードから前記防虫モードへと切り換え制御するように構成したことを特徴とするエアシャワー装置。
【請求項１２】
請求項１１記載のエアシャワー装置において、
前記エアシャワー室内空間への入退室時に開閉する前記ドアの開閉動作に連動して前記通常動作モードから前記防虫モード、又は前記防虫モードから通常動作モードへと前記ＬＥＤ照明の照明色を切り換え制御したことを特徴とすることを特徴とするエアシャワー装置。
【請求項１３】
請求項１１記載のエアシャワー装置において、
前記通常動作モード時に点灯する通常動作モード用ＬＥＤと、このＬＥＤの照明色とは異なる前記防虫モードで点灯する防虫モード用ＬＥＤとを設け、前記エアシャワー室内空間への入退出時に開閉する前記ドアの開閉動作に連動して前記通常動作モード用ＬＥＤと防虫モード用ＬＥＤとの点灯及び消灯を制御したことを特徴とすることを特徴とするエアシャワー装置。
【発明の詳細な説明】
【技術分野】
【０００１】
本発明は、エアシャワー室の入退室時にエアを吹き付けて塵埃の流入・持込を防止するエアシャワー装置であり、エアシャワー室の照明としてＬＥＤ照明を用いたエアシャワー装置に関する。
【０００２】
本発明は、クリーンルーム又は作業室の出入り口に設置され、クリーンルーム又は作業室へ塵埃や虫の流入・持込を防止するエアシャワー装置に関する。
【背景技術】
【０００３】
エアシャワー装置は、半導体又は精密機械等の製造、又は食品製造・加工を行なうクリーンルーム又は作業室の出入り口に設置されて、当該クリーンルーム及び作業室の通路又は前室として使用される装置であり、クリーンルーム又は作業室へ入室しようとする人又は物にエアシャワーを吹き付けて、人の衣服等又は物に付着している塵埃を吹き飛ばすなどして、塵埃の流入・持込を防止するための装置である。
【０００４】
従来のエアシャワー装置では、エアシャワー室内を照らす照明装置として蛍光灯が使用されていた。しかも、エアシャワー装置の総消費電力量の大部分は蛍光灯を点灯させるのに消費される電力で、エアシャワー装置には、ファンを回転させるモータ等の消費電力が大きい部品が備わっているが、使用頻度が小さく、常時点灯させている蛍光灯の消費電力が大きい。また、省エネ対策として自動消灯機能を搭載して使用すると、一律・機械的に頻繁にライトのＯＮ／ＯＦＦを行うので、グローランプが劣化し、連続点灯時よりも寿命が短くなる。更に、連続点灯で使用すると、蛍光灯の光の性質と伴って虫が寄り付きやすくなってしまい、エアシャワー装置を食品製造・加工工場に設置するときには、入って来ることが最も嫌われる或いはそうしたことがあってはならない工場内に虫が入ることになる。更にまた、蛍光灯ではエアシャワー室やその内壁にコンパクトに設置できなかったので、エアシャワー装置内で場所を取っていた。
【０００５】
従来のエアシャワー装置の一例として、特許文献１には、照明灯が天井部に配置され、室内に消灯タイマを有し、消灯タイマが作動中に入室を検知した場合はタイマをリセットすることで、照明の頻繁なオン・オフに起因したスイッチの消耗を抑えることが記載されている。
【先行技術文献】
【特許文献】
【０００６】
【特許文献１】特開２００４−９３０１０号公報
【発明の概要】
【発明が解決しようとする課題】
【０００７】
このように、蛍光灯の電力がエアシャワーの総消費電力量の大部分を占めていること、また、エアシャワーのように人が頻繁に出入りするので、蛍光灯のＯＮ／ＯＦＦ機能、即ち、自動消灯機能付のエアシャワー装置であると寿命が極端に短くなってしまうことに対する対策が必要である。また、蛍光灯の光には虫が反応しやすい波長領域を含んでいるため、食品製造・加工を行うエアシャワー装置には虫が寄り付くことに対する対策が必要である。更に、蛍光灯はエアシャワー装置内での設置場所を取る（設置スペースに余裕がない）ので、操作盤を設置する本体ケース側には設置することができないことから、横方向からの頭部の吹き付けが従来から不可能で除塵効率が上がらないことに対する対策が必要である。更には、エアシャワー装置内で外部の情報や装置内のクリーンレベルを、視覚で確認することができなかった。
【０００８】
本発明の目的は、上記の課題を解決するため、省エネ性の改善・寿命の長期化に対応でき、防虫効果があり、除塵効率が向上するエアシャワー装置を提供することである。
【課題を解決するための手段】
【０００９】
本発明のエアシャワー装置は、上記目的を達成するため、エアシャワー室の入退室時にエアを吹き付けて塵埃の流入・持込を防止するエアシャワー装置において、エアシャワー装置におけるエアシャワー室の照明としてＬＥＤ照明を用いたことを特徴とする。
【００１０】
また、本発明のエアシャワー装置は、請求項１のエアシャワー装置において、前記エアシャワー室内空間は、対向配置した本体ケースと補助ケース、天井ケース、及びドアによって囲まれており、前記ドアを通して前記エアシャワー室に入退室可能であり、前記ＬＥＤ照明は、前記天井ケース、前記本体ケース又は前記補助ケースに配設されていることを特徴する。
【００１１】
また、本発明のエアシャワー装置は、前記ＬＥＤ照明は、前記本体ケースに設けられている操作盤内に組み込まれており、前記補助ケース側に生まれた上部スペースに、前記エアシャワー室内空間に入室した人の頭部又は肩部へのエア吹き付けを可能とするエア吹き付け用のノズルを配設したことから成ることを特徴とする。
【００１２】
また、本発明のエアシャワー装置は、前記ＬＥＤ照明は、その照射方向を前記エアシャワー室内空間の中心方向に沿う方向で前記本体ケース又は前記補助ケースに取り付けられていることを特徴とする。
【００１３】
また、本発明のエアシャワー装置は、前記ＬＥＤ照明を搭載した取付板を設け、この取付板に前記ＬＥＤ照明を収納する窪んだ照明室を備え、この照明室によって前記ＬＥＤ照明の照射方向を規制して前記ＬＥＤ照明光の広がりを制限する構造としたことを特徴とする。
【００１４】
また、本発明のエアシャワー装置は、前記本体ケースと前記補助ケースにそれぞれ複数個のエア吹き付け用のノズルを多段に配列するとともに、前記本体ケースと前記補助ケースに取り付けた前記ノズルが互い段違いとなるように非対称に取り付けられたことを特徴とする。
【００１５】
また、本発明のエアシャワー装置は、前記本体ケースと前記補助ケースに配列された前記ノズルは、それぞれ千鳥状に配列されていることを特徴とする。
【００１６】
また、本発明のエアシャワー装置は、前記エアシャワー室内空間に人が入ることに応じて前記ＬＥＤ照明が点灯し、人が出て行くことに応じて所定時間の経過後に消灯する自動消灯機能を搭載したことを特徴とする。
【００１７】
また、本発明のエアシャワー装置は、火災・地震・異常などの緊急時の情報や前記エアシャワー室内空間のクリーンレベルに応じて、前記ＬＥＤ照明を点滅表示制御させることを特徴とする。
【００１８】
また、本発明のエアシャワー装置は、前記ＬＥＤ照明の照明光を虫が忌避する照明色とする防虫モードを備えたことを特徴とする。
【００１９】
また、本発明のエアシャワー装置は、前記ＬＥＤ照明は、前記エアシャワー室内空間への入退室時に通常動作モードから前記防虫モードへと切り換え制御するように構成したことを特徴とする。
【００２０】
また、本発明のエアシャワー装置は、前記エアシャワー室内空間への入退室時に開閉する前記ドアの開閉動作に連動して前記通常動作モードから前記防虫モード、又は前記防虫モードから通常動作モードへと前記ＬＥＤ照明の照明色を切り換え制御したことを特徴とすることを特徴とする。
【００２１】
また、本発明のエアシャワー装置は、前記通常動作モード時に点灯する通常動作モード用ＬＥＤと、このＬＥＤの照明色とは異なる前記防虫モードで点灯する防虫モード用ＬＥＤとを設け、前記エアシャワー室内空間への入退出時に開閉する前記ドアの開閉動作に連動して前記通常動作モード用ＬＥＤと防虫モード用ＬＥＤとの点灯及び消灯を制御したことを特徴とすることを特徴とする。
【００２２】
このように、本発明のエアシャワー装置は、ＬＥＤ照明の取り付け方法や、使用方法を最適設計することによってさらに目的に近づくことができる。
【発明の効果】
【００２３】
本発明は、従来のエアシャワー装置における総電力消費量の大部分を占めていた蛍光灯に比べ、ＬＥＤ照明を使うことによって省エネルギーを達成することができる。また、蛍光灯の場合にはＯＮ／ＯＦＦを繰り返すことによって蛍光管のみならずグローランプの寿命が短いが、ＬＥＤ照明とすることによって、ＯＮ／ＯＦＦの繰り返しに対しても高い耐久性を示すので、長寿命が期待できる。また、ＬＥＤ照明に自動消灯機能を付与すれば、更に大幅な省エネが期待できる。また、ＬＥＤ自体は、光の性質として虫の好む波長領域を殆ど含まないので、点灯させても虫が寄り付きにくくなる。また、ＬＥＤ光には元々直進性の性質があり、光がドア窓から漏れにくく、それに加えて光が外側に広がりにくい構造で装置に取り付けてやればドア窓から光が更に漏れにくくなり、虫を寄せ付けにくくできる。更に、ＬＥＤ照明はコンパクトに搭載でき、蛍光灯であれば今までに狭くて取付け不可能だった場所に取り付けることができるので、エアシャワー装置内の設計自由度を増すことができる。
【図面の簡単な説明】
【００２４】
【図１】本発明によるエアシャワー装置の一実施例の外観を現す斜視図である。
【図２】図１に示すエアシャワー装置のエアシャワー室を示し、天井ケース・本体ケース・補助ケースにＬＥＤ照明を搭載した例を示す概略図である。
【図３】本発明によるエアシャワー装置の別の実施例を示す概略図であり、本体ケースの操作盤内にＬＥＤ照明を組み込んだ実施例を示す図である。
【図４ａ】本発明によるエアシャワー装置の別の実施例であって、ＬＥＤ照明の光をエアシャワーの中心方向に沿う方向に向けた状態を示す図である。
【図４ｂ】図４ａに示す実施例において、組み込んだＬＥＤ照明の照射方向を下向きに変えた後の状態を示す図である。
【図５ａ】本発明によるエアシャワー装置にＬＥＤ照明を取り付ける取付手段の実施例についてその要部を示す三面図である。
【図５ｂ】図５ａに示す取付手段を組み込んだエアシャワー装置の実施例を示す図である。
【図６ａ】本発明によるエアシャワー装置に付けたＬＥＤ照明の自動消灯機能を説明する図である。
【図６ｂ】図６ａに示すＬＥＤ照明の自動消灯機能の動作図（フロー図）である。
【図７ａ】本発明によるエアシャワー装置の他電気部品との連動を示した図である。
【図７ｂ】図７ａに示す他電気部品との連動を示す動作図（フロー図）である。
【図８】防虫モードでのＬＥＤ照明の照明色の制御動作（フロー図）を示した図であり、図８（ａ）はクリーンルーム入室時、図８（ｂ）はクリーンルーム退室時でのフロー図を表している。
【図９】防虫モードでのＬＥＤ照明の点灯／消灯の制御動作（フロー図）を示した図であり、図９（ａ）はクリーンルーム入室時、図９（ｂ）はクリーンルーム退室時でのフロー図を表している。
【図１０】エアシャワー装置のノズルを千鳥状に配列した本発明の別の実施例を示す正面図である。
【図１１】図１０の実施例におけるノズル配列を示した図であり、図１１（ａ）は図１０のＡ−Ａ線断面図、図１１（ｂ）は図１０のＢ−Ｂ線断面図である。
【図１２】エアシャワー装置のノズルを段違いに配列した別の実施例を示しており、図１２（ａ）は図１０のＡ−Ａ線断面図、図１２（ｂ）は図１０のＢ−Ｂ線断面図である。
【発明を実施するための形態】
【００２５】
以下、本発明によるエアシャワー装置の実施形態について、図１〜図６を参照して説明する。図１は本発明によるエアシャワー装置の一実施例を示す斜視図である。エアシャワー装置１は、天井を構成する天井ケース２、エアシャワー室内空間１１の一側に配設されていてエアシャワー装置１のための送風や照明のための主要な機構を収容した本体ケース３、エアシャワー室内空間１１を挟んで本体ケース３に対向して配設されている補助ケース４、及びエアシャワー室内空間１１を開閉するドア５を備えている。エアシャワー装置１は、以下に詳説するように、ＬＥＤ照明６を組み込んだ一般的なモデルである。
【００２６】
図２は、図１に示すエアシャワー装置において、ＬＥＤ照明を搭載した状態を示す概略図である。天井ケース２の中央下部には、エアシャワー室内空間１１を臨むようにＬＥＤ照明６ａが下向きに配設されている。また、本体ケース３及び補助ケース４には、それぞれＬＥＤ照明６ｂ，６ｃがエアシャワー室内空間１１に向かって横長の方向に配設されている。ＬＥＤ照明６ａ，６ｂ，６ｃを総称するときはＬＥＤ照明６とする。各ケース２〜４の全てにＬＥＤ照明６を搭載しなければならないわけではなく、十分な照度が確保できればどれか一つに搭載すれば足りる。
【００２７】
ＬＥＤ照明６は、蛍光灯などの他の照明手段と比べて大きさをコンパクトに構成できるので、各ケース２〜４の壁内に面一に配置することができる。したがって、ＬＥＤ照明６はエアシャワー室内空間１１内にはみ出すことがなく、エアシャワー室内空間スペースを広く確保し、且つ各ケース２〜４の壁面を簡素に且つ清浄に保つことができる。図２においては、ＬＥＤ照明６から照射される光７の広がりが示されており、エアシャワー室内空間内の人８を照らしている状態が示されている。
【００２８】
これまでのエアシャワー装置の消費エネルギーの大部分は、従来、照明に要する電力消費であったので、照明手段として蛍光灯に代えてＬＥＤ照明６を搭載することにより、エアシャワー装置１においては大幅な省エネ・長寿命が期待できる。
【００２９】
図３は、本体ケース３の操作盤９内にＬＥＤ照明６ｂを組み込んだ図である。図３において、本体ケース３には、その上部の通路側の壁内に操作盤９が配設されている。操作盤９は、エアシャワー装置１の作動を司るための差圧計等の各種センサや送風・照明のための各種スイッチ類を収納した機器である。本体ケース３に備わるＬＥＤ照明６ｂは、小型に構成されるので、操作盤９内に配置可能である。
【００３０】
蛍光灯のような照明手段の場合には、操作盤９内に配置することができないので、通常、蛍光灯は対向する補助ケース４側に設けられていた。そのため、補助ケース４側の上部スペースは蛍光灯の収容位置に費やされ、エアノズルは蛍光灯を避けて配置されていた。本発明の実施例によれば、照明手段がＬＥＤ照明６ｂとして本体ケース３側の操作盤９内に配置されるので、これにより反対側の補助ケース４側の上部にスペース４ａが生まれる。この補助ケース４に生じた空いたスペース４ａには、エアシャワーのためのノズルやその他の電気品が設置可能となる。
【００３１】
塵埃は小さく軽いとはいえ、一般的には上から降る傾向がある。したがって、人８には、どちらかと言えば、頭部や肩部に塵埃が付着しやすい。図３に示すエアシャワー装置においては、補助ケース４の上部に空いたスペース４ａにエアノズルを配置することができる。そうした場合には、当該エアノズルから噴射したエアによって、人８の頭部や肩部にエアを吹き付けて、付着した塵埃を払うことができ、クリーンルームへの塵埃の持ち込みを防止することができる。
【００３２】
図４ａは、図３と同様、操作盤内にＬＥＤ照明を組み込んだ図である。図４ａでは操作盤の図示を省略し且つＬＥＤ照明６ｂを本体ケース３の壁面から突出した状態で示しているが、ＬＥＤ照明６ｂを本体ケース３の壁面内に配置してよいことは明らかである。ＬＥＤ照明６ｂが図４ａに示す取り付け状態のままであるとＬＥＤ照明６ｂが発する光７の直進性のために、人はＬＥＤ照明６ｂからの照明光を真正面で受けることになって眩し過ぎると感じる、また、光の広がりが少ないのでエアシャワー装置１全体を満足に照射できないという問題もある。そこで、図４ｂに示すように、ＬＥＤ照明６ｂの取付けを一定の角度ずらして照射方向を変えることが好ましい。図４ｂに示した構造においては、本体ケース３に組み込む取付板の取り付け角度を下方に振り下げるように変更する、即ち、ＬＥＤ照明６ｂからの光７の広がりがエアシャワー室の中心方向にずらしたものである。これにより、エアシャワー室内空間１１に居る人にＬＥＤ照明６ｂからの光の直射が当たらないようにするとともに、エアシャワー装置１のエアシャワー室内空間全体を照射することができる。上記の光７の広がりを下方に振る例として、本体ケース３に取り付けるＬＥＤ照明６ｂについて説明したが、補助ケース４に取り付けるＬＥＤ照明６ｃについても同様である。
【００３３】
蛍光灯の場合の光の広がりと比べて、ＬＥＤ照明６の光７の広がりは狭いので、それ自体で、虫の引き寄せ性は低いと言える。図５ａは、図４ｂに示す本発明によるエアシャワー装置の更に別の実施例において、ＬＥＤ照明の照射範囲を更に制限可能とする取付手段の要部を示す三面図である。図５ａ、図５ｂに示す構造は、本体ケース３又は補助ケース４の組み込む取付板６ｄの構造に工夫を施して、光７の広がりを一層制限できるようにした構造である。
【００３４】
エアシャワー装置の本体ケース３又は、補助ケース４において、その上部パネル３ａ又は４ａの中央上部には孔３ｂ又は４ｂが形成されており、ＬＥＤ照明６ｂ又は６ｃを搭載した取付板６ｄが孔３ｂ又は４ｂに嵌め込まれて取り付けられている（図５ｂ）。取付板６ｄは、図５ａの側面図（Ｃ）に示すように、図示上向に傾斜した傾斜板６ｈと、この傾斜面６ｈと直交して傾斜面６ｈの上縁から連設した下向き傾斜とした上部傾斜面６ｉとを有して全体としてほぼ三角形状に窪んだ照明室６ｊを備え、この照明室６ｊの上部傾斜面６ｉに前記ＬＥＤ照明６ｂ又は６ｃが固定される。すなわち、照明室６ｊは、角部６ｅが上側に偏り且つ後方に後退した状態で上部パネル３ａ又は４ａに埋め込まれる形で取り付けられている（図５ａ）。ＬＥＤ照明６ｂ又は６ｃは、角部６ｅの隅部分に搭載されているので、ＬＥＤ照明６ｂ又は６ｃが発する光７は角部６ｅを定める二面の延長上で挟む範囲θ内に照射される。この照射は、ＬＥＤ照明６ｂ又は６ｃを真横に置いたときの中心光が下方に振れているので、眩しさが低減される。
【００３５】
取付板６ｄは、上部パネル３ａ又は４ａに対して窪んだ状態に取り付けられているので、側端部６ｆ及び６ｇはＬＥＤ照明６ｂ又は６ｃから照射される光７に対して遮りとなる。したがって、図５ｂに示すように、ＬＥＤ照明６ｂ又は６ｃからの光の範囲φは、光７，７で示すように、側端部６ｆ及び６ｇによってドア５，５に向かう方向の広がりが妨げられ、ドア５，５のドア窓１０，１０を通してエアシャワー装置の外部に漏れる光量が非常に少なく、又は殆ど無くなる。このように、ＬＥＤ照明６ｂ又は６ｃからの光７は、エアシャワー方向に加えてそれと垂直方向の光７の広がりも抑制される。これよって、エアシャワー装置の外部からの虫の寄付きを大幅に軽減することができる。ここで、光には虫の可視光波長領域があり、約３００ｎｍ〜４００ｎｍの範囲であるとされている。
【００３６】
図６ａは、人８がエアシャワー室内空間１０に入ると自動でＬＥＤ照明６（天井ケース２に設けたＬＥＤ照明６ａについて示されているが、他のケースに設けられているＬＥＤ照明６ｂ，６ｃを含めてもよい）が点灯し、退室すると数秒後にＬＥＤ照明６が自動消灯することを描いた簡易図である。これは、ＬＥＤ照明６が自動消灯により省エネであることに加えて、蛍光灯より繰り返し劣化が少ないために実現した機能である。しかし、頻繁に入退室を行うとライトのＯＮ／ＯＦＦも頻繁に行われることとなり、蛍光灯ほどとは言わないまでも、多少の繰り返し劣化が生じるので、人８が退室してから数秒後に消灯するように設定する。
【００３７】
図６ｂは、その自動消灯動作をフロー図で表した図である。クリーンルーム入室時のフローが左側に示されている。ダーティ側（外側）のドア５が開いて（ステップＳ１；「Ｓ１」と略す。以下同じ）、ＬＥＤ照明６が点灯し（Ｓ２）、人８がエアシャワー室１５に入る。その後、ダーティ側ドア５が閉じ（Ｓ３）、エアシャワーが行われる。エアシャワーの後、クリーン側（クリーンルーム側）のドア５が開き（Ｓ４）、人８がエアシャワー室１５を出るとクリーン側ドアが閉じる（Ｓ５）。そして、数秒を経過した（Ｓ６）後にＬＥＤ照明６が消灯する（Ｓ７）。ＬＥＤ自体はＯＮ／ＯＦＦの繰り返しによる劣化は極めて少ないものの、点灯のＯＮ／ＯＦＦを繰り返すと他の電気製品がＬＥＤよりも劣化しやすい。したがって、出勤・退勤時に人８が連続して入出する場合には、その都度に点灯・消灯を繰り返すのではなく、Ｓ６で消灯を数秒待つことにするのが好ましい。また、この方が、短時間間隔で続けて入退室する場合には、連続点灯したエアシャワー室１５内を人８が通過することになり、受ける印象が好ましい。
【００３８】
クリーンルーム退室時には、クリーン側ドア５が開いて（Ｓ１１）、ＬＥＤ照明６が点灯し（Ｓ１２）、人８がエアシャワー室１５に入る。その後、クリーン側ドア５が閉じ（Ｓ１３）、エアシャワーが行われる。エアシャワーの後、ダーティ側ドア５が開き（Ｓ１４）、人８がエアシャワー室１５を出るとダーティ側ドア５が閉じる（Ｓ１５）。そして、数秒を経過した（Ｓ１６）後にＬＥＤ照明６が消灯する（Ｓ１７）。Ｓ１６で消灯を数秒待つことは、入室の場合と同様の理由からである。
【００３９】
図７ａは、人がエアシャワー室内空間１１に入り、その時に異常事態（火災・地震・異常など）が起こった場合の対処の例を示す図である。人８がエアシャワー室内空間１１に入り、その時に異常事態が生じた場合には、火災報知機１２などと連動してＬＥＤ照明６を高速点滅させることで、人８への緊急性の報知を行う。ＬＥＤ照明６は、その性質上、高速の点滅表示が可能である。このときのフローが図７ｂに記載されている。異常事態が発生すると（Ｓ２１）、火災報知機１２との連動、又は手動による緊急スイッチのＯＮによって異常事態スイッチがＯＮとなり、ＬＥＤ照明が高速点滅する（Ｓ２３）。この場合、点滅するＬＥＤの色を赤にするなどして、緊急性をアピールすることがより好ましい。ＬＥＤ照明６の高速点滅に合わせて安全な側のドア５のロックを解除することで、人８はエアシャワー室内空間１１から退出することができる。
【００４０】
また、図７ａに示すように、エアシャワー装置１には、パーティクルカウンタ１３を設けて、エアシャワー室内空間１１のクリーンレベルを測定し、クリーンならＬＥＤ照明６を３回点滅させて入室を許可するという対応を取ることができる。このときのフローが図７ｂに記載されている。このフローによれば、エアジェットをＯＮにしてエアシャワーを吹き付ける（Ｓ３１）。パーティクルカウンタ１３でエアシャワー室内空間１１内のパーティクルの数を測定する（Ｓ３２）。カウント数が所定数以下の少ない場合にはクリーン状態であると判定（Ｓ３３）し、そうでない場合にはＳ３２に戻ってパーティクルカウンタ１３によるカウントを継続する。Ｓ３３でエアシャワー室内空間１１がクリーンであると判定されると、ＬＥＤ照明６を３回点滅する（Ｓ３４）。この場合、安全であることをアピールするため、ＬＥＤ照明を緑や青の色にすることができる。ＬＥＤ照明６の点滅に合わせて、ドア５のロックを解除して人８がエアシャワー室内空間１１から退出する。
【００４１】
また、火災・地震などの緊急時以外でも、例えば、停電時などは、視界が暗いと方向がつかめず最悪事故・けがの恐れがあるため、停電時において予備電源からＬＥＤ照明６に電力を供給し、ＬＥＤ照明６を誘導灯として兼用することも可能である。すなわち、ＬＥＤ照明６から照射させる照明光の一部をクリーンルーム側に導光させて、その導光部に誘導表示部などを形成することによって、夜間などの停電時において、誘導表示部を発光表示することによって、クリーンルームからの出口となるエアシャワー装置１の方向が確認でき、エアシャワー装置１へと効果的に誘導することができる。
【００４２】
さらに、エアシャワー装置１を照明するＬＥＤ照明６を用いてエアシャワー装置１自体の動作異常あるいは、メンテナンス情報といった各種警報機能を持たせることも可能である。すなわち、エアシャワー装置１の正常動作時とエアシャワー装置１自体の異常動作時とでＬＥＤ照明６の照明色を変化させる。例えば、エアシャワー使用中にフィルタの目詰まり、電気品のトリップ等が発生した場合、正常時に白色のＬＥＤ照明６を例えば黄色などに変化させることによってユーザにエアシャワー装置１の動作異常を視覚的に報知させることができる。また、ＬＥＤ照明６の照明光を異色表示させる以外でも、例えば、異常時に点滅表示させることよって異常を知らせることも可能である。
【００４３】
また、食品加工工場や給食センターなど、食品を扱うことが多い場所などにおいては、防虫機能は重要であり、ＬＥＤ照明６を利用して虫がクリーンルームに入り込まないようした防虫効果を持たせるといった利用方法も可能である。すなわち、ＬＥＤ照明６は、前述した通り、光の性質として虫の好む波長領域を殆ど含まないので、ＬＥＤ照明６の点灯時に虫を誘い込みにくくなるが、ＬＥＤ照明６の照明色を虫が忌避する照明色とすれば、より一層、防虫効果を高めることができる。このＬＥＤ照明６を利用した防虫モードについて図８及び図９のフローチャートを参照してＬＥＤ照明６の切り換え動作について説明する。通常動作モードでは、ＬＥＤ照明６の照明色は照度を考慮した白色であるが、防虫モードでは、虫が忌避する黄色とし、ドア５の開閉と連動させてＬＥＤ照明６の照明色の切り換え制御を行う。以下、ＬＥＤ照明６の照明色の切り換え制御について具体的に説明する。
【００４４】
図８（ａ）はクリーンルーム入室時の動作を示しており、通常動作モードにおいてＬＥＤ照明６は白色の照明光を照射しており、クリーンルーム入室時にダーティ側ドア５が開くと（Ｓ４１）、ＬＥＤ照明６は通常動作モードでの白色から防虫モードの黄色へと変化し（Ｓ４２）、エアシャワー室１に入出後、ダーティ側ドア５が開くと（Ｓ４３）、ＬＥＤ照明６は黄色から通常動作モードの白色に切り換わる（Ｓ４４）。この後、エアジェットをオンして所定時間、エアシャワーを実行し（Ｓ４５）、エアジェットをオフしてエアシャワーを終了させて（Ｓ４６）、クリーン側ドア５を開くと（Ｓ４７）、ＬＥＤ照明６が通常動作モードでの白色から防虫モードの黄色へと変化し（Ｓ４８）、クリーン側ドア５が閉じることによって（Ｓ４９）、ＬＥＤ照明６が通常動作モードの白色に変化する（Ｓ５０）。
【００４５】
図８（ｂ）は、クリーンルーム退室時の動作を示しており、ダーティ側ドア５が開くと（Ｓ５１）、ＬＥＤ照明６は通常動作モードでの白色から防虫モードの黄色へと変化し（Ｓ５２）、ダーティ側ドア５が閉じると（Ｓ５３）、ＬＥＤ照明６が防虫モードから通常動作モードの白色へと変化する（Ｓ５４）。そして、クリーン側ドア５が開けることによって（Ｓ５５）、ＬＥＤ照明６が防虫動作モードの黄色に変化し（Ｓ５６）、エアシャワー室１５を出るとクリーン側ドア５が閉じ（Ｓ５７）、ＬＥＤ照明６が通常動作モードの白色に変化する（Ｓ５８）。
【００４６】
次に、通常動作モードに対応する白色照明用のＬＥＤ照明６と防虫モードに対応する黄色照明用のＬＥＤ照明６とを備え、ドア５の開閉動作に連動して各モードに対応するそれぞれのＬＥＤ照明６の点灯及び消灯を制御した場合の実施例について説明する。すなわち、この実施例では、通常動作モードに対応するＬＥＤ照明６は白色の照明色を照射し、防虫モードに対応するＬＥＤ照明６は黄色の照明色を照射する。ここで、防虫モードに対応するＬＥＤ照明６は、該ＬＥＤ照明６の照射光を透過するフィルタによって黄色に着色するようにすれば、各モードに対応するＬＥＤ照明６の照明光は共通化できるが、ＬＥＤ自体が黄色の照明光を照射するＬＥＤ照明６を用いることも可能であり、要は、各モードに対応して照明光が異なるＬＥＤ照明６を備え、そのＬＥＤ照明６をドア５に連動して各モードに応じて点灯・消灯を制御すればよい。以下、ＬＥＤ照明６の点灯・消灯の切り換え制御について具体的に説明する。
【００４７】
図９（ａ）は、クリーンルーム入室時の動作を示しており、ダーティ側ドア５が開くと（Ｓ６１）、白色ＬＥＤ照明がオフし、黄色ＬＥＤ照明がオンする（Ｓ６２）。エアシャワー室１５に入出後、ダーティ側ドア５が閉と（Ｓ６３）、黄色ＬＥＤ照明がオフし、白色ＬＥＤ照明がオンする（Ｓ６４）。この後、エアジェットのオンによりエアシャワーが行われ（Ｓ６５）、エアジェットをオフしてエアシャワー終了する（Ｓ６６）。次に、クリーン側ドア５を開くと（Ｓ６７）、白色ＬＥＤ照明がオフし、黄色ＬＥＤ照明がオンし（Ｓ５８）、クリーン側ドア５が閉じることによって（Ｓ５９）、黄色ＬＥＤ照明がオフし、白色ＬＥＤ照明がオンする（Ｓ６０）。
【００４８】
図９（ｂ）は、クリーンルーム退室時の動作を示しており、ダーティ側ドア５が開くと（Ｓ７１）、白色ＬＥＤ照明がオフし、黄色ＬＥＤ照明がオンし（Ｓ７２）、ダーティ側ドア５が閉じると（Ｓ７３）、黄色ＬＥＤ照明がオフし、白色ＬＥＤ照明がオンする（Ｓ７４）。そして、クリーン側ドア５が開けることによって（Ｓ７５）、白色ＬＥＤ照明がオフし、黄色ＬＥＤ照明がオンし（Ｓ７６）、エアシャワー室を出るとクリーン側ドア５が閉じることによって（Ｓ７７）、黄色ＬＥＤ照明がオフし、白色ＬＥＤ照明がオンする（Ｓ７８）。
【００４９】
このように、クリーン側ドア５及びダーティ側ドア５が開いた瞬間から閉まるまで間、ＬＥＤ照明６の照明光を黄色とすることにより、エアシャワー装置１内に虫が寄り付きにくくすることができ、食品加工工場や給食センターなど、食品を扱うことが多い場所などで、防虫効果を発揮することができる。
【００５０】
図１０及び図１１は、ＬＥＤ照明６を天井ケース２と本体ケース３に取り付け、本体ケース３と補助ケース４にそれぞれ複数のエア吹き付け用のノズル２０を多段に組み込んだ実施例であり、図１０は正面図、図１１（ａ）は図１０のＡ−Ａ線断面図、図１１（ｂ）はＢ−Ｂ線断面図を示している。本体ケース３に取り付けたＬＥＤ照明６ｂは、本体ケース３内の操作盤９内に配置しており、従来の蛍光灯照明のように補助ケース４に設けることはしていない。それにより、補助ケース４には空きスペースが生じる。また、操作盤９に取り付けたＬＥＤ照明６ｂも設置に要するスペースが小さいために、本体ケース３にも空きスペースが生じる。本体ケース３と補助ケース４には、空いたスペースを利用して、複数のノズル２０がそれぞれ千鳥状に配列され、かつ、本体ケース３と補助ケース４とで各ノズル２０が段違いとなるように非対称に配置されている。このように図１０及び図１１においては、各ケース３，４の空いたスペースを広く使って、本体ケース３と補助ケース４とで段違いとなるようにノズル２０をそれぞれ千鳥状に配列することによって、本体ケース３のノズル配置よりも補助ケース４のノズル配置を一段低い配列とすることが可能である。図１１（ａ）及び図１１（ｂ）においては、補助ケース４側の最上段に配置したノズル２０が本体ケース３より高い配置となっている。
【００５１】
このように、本体ケース３と補助ケース４に複数のノズル２０を段違いに千鳥状に配置することによって、ノズル２０によりエアシャワー室１５に入室する際、ノズル２０からのエアを塵埃が溜まりやすい人８の頭、肩含む上半身にムラ無く吹き付けることができ、さらに、エア吹出し中に体を回転させれば、広範囲に渡って体に付着した塵埃を取り除くことが可能となり、除塵効率を高めることができる。このようにして、エアシャワー装置１の必須構成部品である操作盤９内にＬＥＤ照明をコンパクトに配置して、エアシャワー装置１の小型化を達成することができ、さらに、ＬＥＤ照明を採用することにより生じた空きスペースを利用して複数のノズル２０を効果的に配置することもできる。
【００５２】
また、本体ケース３と補助ケース４に空きスペースを利用して複数のノズル２０を多段に配置する場合において、図１０及び図１１に示すようにノズル２０を段違いに千鳥状に配置する以外でも、例えば図１２に示すように、本体ケース３の上部に配置された操作盤９内にＬＥＤ照明を配置し、本体ケース３及び補助ケースの上部に空きスペースを形成して、平行に配置した複数のノズル２０を多段に配置し、本体ケース３と補助ケース４とでノズル２０を列単位で段違いとなるように非対称に配置し、本体ケース３の操作盤９の下に一段低い配列となったノズル２０を配置するようにしてもよい。なお、前記空きスペースはノズル２０の取り付けスペースとして利用する以外、各種計器類や表示装置など、他の構成部品の取り付けスペースとして利用することも可能である。
【符号の説明】
【００５３】
１・・・エアシャワー装置
２・・・天井ケース
３・・・本体ケース
４・・・補助ケース
４ａ・・・空きスペース
５・・・ドア
６・・・ＬＥＤ照明
６ｄ・・・取付板
７・・・ＬＥＤ照明の光
８・・・人
９・・・操作盤
１０・・・ドア窓
１１・・・エアシャワー室内空間
１２・・・異常事態スイッチ
１３・・・パーティクルカウンタ
１５・・・エアシャワー室
【図１】
2011145052.tif 000003
【図２】
2011145052.tif 000004
【図３】
2011145052.tif 000005
【図４ａ】
2011145052.tif 000006
【図４ｂ】
2011145052.tif 000007
【図５ａ】
2011145052.tif 000008
【図５ｂ】
2011145052.tif 000009
【図６ａ】
2011145052.tif 000010
【図６ｂ】
2011145052.tif 000011
【図７ａ】
2011145052.tif 000012
【図７ｂ】
2011145052.tif 000013
【図８】
2011145052.tif 000014
【図９】
2011145052.tif 000015
【図１０】
2011145052.tif 000016
【図１１】
2011145052.tif 000017
【図１２】
2011145052.tif 000018